【手続補正書】
【提出日】平成31年1月8日(2019.1.8)
【手続補正１】
【補正対象書類名】明細書
【補正対象項目名】００６７
【補正方法】変更
【補正の内容】
【００６７】
したがって、第２のテープ２０がフィルムに力を加えるように作用して、フィラメントによる切断中にフィラメントが引っ張られるときフィルムが物体から離れようとする傾向を軽減するように作用する。引張力Ｐを加える位置でローラ等の物体をフィルムに押し付けるなどの異なる方法によって力を加えることも可能である。本開示の実施態様の一部を以下の［項目１］−［項目３０］に記載する。
［項目１］
フィルムを切断するためのテープシステムであって、
前面と、後面と、第１の長手方向側縁部と、第２の長手方向側縁部とを有する伸縮性材料の第１のテープ本体であって、
前記第１のテープ本体が、物体に取り付けるための接着剤を前記後面に有し、
前記第１のテープ本体の前記前面が接着剤を含まず、感圧性接着剤に対して剥離特性を有して、前記感圧性接着剤をテープの前記前面に接触させ、かつ引き離すことができるようになっており、
前記第１のテープ本体に、長手方向に延びるフィラメントが付いている、第１のテープ本体と、
前面と、後面と、第１の長手方向側縁部と、第２の長手方向側縁部とを有する、伸縮性材料の第２のテープ本体であって、
前記第２のテープ本体が、前記第１のテープ本体上に貼り付けられるときに前記フィルムに取り付けるための接着剤を前記後面に有し、
前記第２のテープ本体が、前記第１のテープ本体において前記フィルム上に貼り付けられるときに、前記フィルムの下の前記第１のテープ本体上の前記フィラメントの両側にまたがるように配置された幅を有する、第２のテープ本体とを含み、
前記フィラメントが、引っ張られたときに、両側縁部から間隔をあけた前記第２のテープ本体における位置で前記第２のテープ本体の長さに沿って前記第２のテープ本体を引き裂くように、前記フィラメント及び前記第２のテープ本体が配置されている、テープシステム。
［項目２］
前記フィラメントが、０．００５インチ未満の直径を有する金属ワイヤを含む、項目１に記載のテープシステム。
［項目３］
前記フィラメントが、０．００２５〜０．００５インチの範囲の直径を有する金属ワイヤを含む、項目１又は２に記載のテープシステム。
［項目４］
前記フィラメントが、前記第１のテープ本体に、前記第１の側縁部及び前記第２の側縁部の両方から間隔をあけた前記第１のテープ本体上の位置で取り付けられることにより、前記第１のテープ本体の曲げを可能にする一方、前記第１のテープ本体が、前記フィラメント及び前記第１の長手方向側縁部に対する、前記第２の長手方向側縁部に沿った前記第１のテープ本体の伸長により第１の左右方向に平坦なままとなり、かつ前記フィラメント及び前記第２の長手方向側縁部に対する、前記第１の長手方向側縁部に沿った前記テープの伸長により第２の左右方向に平坦なままとなる、項目１〜３のいずれか一項に記載のテープ。
［項目５］
前記第１のテープ本体の前記後面が前記物体に取り付けられた状態で、前記フィラメントが、引っ張られたときに、前記テープ本体の一側縁部から引き出されるのではなく、両側縁部から間隔をあけた前記第１のテープ本体上の位置で前記第１のテープ本体の長さに沿って前記第１のテープ本体を引き裂くように、前記フィラメント及び前記第１のテープ本体が配置されている、項目１〜４のいずれか一項に記載のテープ。
［項目６］
各テープ本体が０．２５インチ未満の幅を有する、項目１〜５のいずれか一項に記載のテープ。
［項目７］
前記第１のテープ本体に単一のフィラメントが付いている、項目１〜６のいずれか一項に記載のテープ。
［項目８］
前記フィラメントが前記後面の前記接着剤の中に位置している、項目１〜７のいずれか一項に記載のテープ。
［項目９］
前記第１のテープ本体が表面に貼り付けられる際、及び前記フィラメントが引っ張られて前記第１のテープ本体を引き裂く際に、前記接着剤が、前記第１のテープ本体の屈曲中に前記フィラメントを前記第１のテープ本体上で定位置に保持するように配置されている、項目８に記載のテープ。
［項目１０］
前記第１のテープ本体が、第２の基材層の上に重なり、かつ接着剤により前記第２の基材層に積層された第１の基材層を有し、前記長手方向に延びるフィラメントが前記第１の基材層と前記第２の基材層との間に位置している、項目１〜９のいずれか一項に記載のテープ。
［項目１１］
前記第１のテープ本体が、一方の面に感圧性接着剤が付いたフィルムで物体の表面を覆う際に使用するように配置され、前記感圧性接着剤により前記フィルムが前記物体に取り付けられ、前記第１のテープ本体上のフィルムのその部分を通して前記第１のテープ本体から前記フィラメントを引っ張ることによって、前記フィルムを切断し、前記フィルムの切り口を形成することができる、項目１〜１０のいずれか一項に記載のテープ。
［項目１２］
前記フィラメントが、前記第１の側縁部及び前記第２の側縁部の一方で前記第１のテープ本体に取り付けられている、項目１〜１１のいずれか一項に記載のテープ。
［項目１３］
前記第１のテープ本体及び前記第２のテープ本体が同じ材料から形成されている、項目１〜１２のいずれか一項に記載のテープシステム。
［項目１４］
前記第２のテープ本体が、その端部が前記第１のテープ及び前記フィルムを越えて延びて前記物体に係合し、前記フィルムを前記物体上に保持するような長さを有する、項目１〜１３のいずれか一項に記載のテープシステム。
［項目１５］
接着剤により物体に貼り付けられたときにフィルムを切断するための方法であって、
第１のテープ本体を前記物体に貼り付けることであって、
前記第１のテープ本体が、前面と、後面と、第１の長手方向側縁部と、第２の長手方向側縁部とを有する伸縮性材料を含み、
前記第１のテープ本体が、前記物体に取り付けるための接着剤を前記後面に有し、
前記第１のテープ本体の前記前面が接着剤を含まず、前記接着剤に対して剥離特性を有し、
前記第１のテープ本体に、長手方向に延びるフィラメントが付いている、ことと、
第２のテープ本体を前記第１のテープ本体において前記フィルム上に貼り付けて、前記フィルムの下の前記第１のテープ本体の前記フィラメントの両側にまたがるようにすることであって、
前記第２のテープ本体が、前面と、後面と、第２の長手方向側縁部と、第２の長手方向側縁部とを有する伸縮性材料を含み、
前記第２のテープ本体が、前記フィルムに取り付けるための接着剤を前記後面に有する、ことと、
前記フィラメントを引っ張ることにより、両側縁部から間隔をあけた前記第２のテープ本体上の位置で、前記第２のテープ本体の長さに沿って前記フィルム及び前記第２のテープ本体を引き裂くことと、を含む方法。
［項目１６］
前記第２のテープ本体が前記フィルムに力を加えて、前記フィラメントによる切断中に前記フィラメントが引っ張られるとき前記フィルムが前記物体から離れようとする傾向を軽減するように作用する、項目１５に記載の方法。
［項目１７］
前記フィルムが、前記物体に水を付けることによって貼り付けられる、項目１５又は１６に記載の方法。
［項目１８］
前記フィルムがストーンガードフィルムである、項目１５〜１７のいずれか一項に記載の方法。
［項目１９］
前記第２のテープ本体が、前記第１のテープ本体の端部及び前記フィルムの縁部を越えて延びて前記物体に係合し、前記フィルムを前記物体上に保持するように置かれている、項目１５〜１８のいずれか一項に記載の方法。
［項目２０］
前記フィラメントが、０．００５インチ未満の直径を有する金属ワイヤを含む、項目１５〜１９のいずれか一項に記載の方法。
［項目２１］
前記フィラメントが、０．００２５〜０．００５インチの範囲の直径を有する金属ワイヤを含む、項目１５〜２０のいずれか一項に記載の方法。
［項目２２］
前記フィラメントが、前記第１のテープ本体に、前記第１の側縁部及び前記第２の側縁部の両方から間隔をあけた前記第１のテープ本体上の位置で取り付けられることにより、前記第１のテープ本体の曲げを可能にする一方、前記第１のテープ本体が、前記フィラメント及び前記第１の長手方向側縁部に対する、前記第２の長手方向側縁部に沿った前記第１のテープ本体の伸長により第１の左右方向に平坦なままとなり、かつ前記フィラメント及び前記第２の長手方向側縁部に対する、前記第１の長手方向側縁部に沿った前記テープの伸長により第２の左右方向に平坦なままとなる、項目１５〜２１のいずれか一項に記載の方法。
［項目２３］
前記第１のテープ本体の前記後面が前記物体に取り付けられた状態で、前記フィラメントが、引っ張られたときに、前記テープ本体の一側縁部から引き出されるのではなく、両側縁部から間隔をあけた前記第１のテープ本体上の位置で前記第１のテープ本体の長さに沿って前記第１のテープ本体を引き裂くように、前記フィラメント及び前記第１のテープ本体が配置されている、項目１５〜２２のいずれか一項に記載の方法。
［項目２４］
各テープ本体が０．２５インチ未満の幅を有する、項目１５〜２３のいずれか一項に記載の方法。
［項目２５］
前記第１のテープ本体に単一のフィラメントが付いている、項目１５〜２４のいずれか一項に記載の方法。
［項目２６］
前記フィラメントが前記後面の前記接着剤の中に位置している、項目１５〜２５のいずれか一項に記載の方法。
［項目２７］
前記第１のテープ本体が表面に貼り付けられる際、及び前記フィラメントが引っ張られて前記第１のテープ本体を引き裂く際に、前記接着剤が、前記第１のテープ本体の屈曲中に前記フィラメントを前記第１のテープ本体上で定位置に保持するように配置されている、項目１５〜２６のいずれか一項に記載の方法。
［項目２８］
前記フィラメントが、前記第１の側縁部及び前記第２の側縁部の一方で前記第１のテープ本体に取り付けられている、項目１５〜２７のいずれか一項に記載の方法。
［項目２９］
前記第１のテープ本体及び前記第２のテープ本体が同じ材料から形成されている、項目１５〜２８のいずれか一項に記載の方法。
［項目３０］
接着剤により物体に貼り付けられたときにフィルムを切断するための方法であって、
テープ本体を前記物体に貼り付けることであって、
前記テープ本体が、前面と、後面と、第１の長手方向側縁部と、第２の長手方向側縁部とを有する伸縮性材料を含み、
前記テープ本体が前記物体に取り付けられるための接着剤を前記後面に有し、
前記テープ本体の前記前面が接着剤を含まず、前記接着剤に対して剥離特性を有する、ことと、
前記フィルムを引き裂くように前記フィラメントを引っ張ることと、
前記フィルムに力を加えて、前記フィラメントによる切断中に前記フィラメントが引っ張られるとき前記フィルムが前記物体から離れようとする傾向を軽減するように作用させることと、を含む方法。
【手続補正２】
【補正対象書類名】特許請求の範囲
【補正対象項目名】全文
【補正方法】変更
【補正の内容】
【特許請求の範囲】
【請求項１】
フィルムを切断するためのテープシステムであって、
前面と、後面と、第１の長手方向側縁部と、第２の長手方向側縁部とを有する伸縮性材料の第１のテープ本体であって、
前記第１のテープ本体が、物体に取り付けるための接着剤を前記後面に有し、
前記第１のテープ本体の前記前面が接着剤を含まず、感圧性接着剤に対して剥離特性を有して、前記感圧性接着剤をテープの前記前面に接触させ、かつ引き離すことができるようになっており、
前記第１のテープ本体に、長手方向に延びるフィラメントが付いている、第１のテープ本体と、
前面と、後面と、第１の長手方向側縁部と、第２の長手方向側縁部とを有する、伸縮性材料の第２のテープ本体であって、
前記第２のテープ本体が、前記第１のテープ本体上に貼り付けられるときに前記フィルムに取り付けるための接着剤を前記後面に有し、
前記第２のテープ本体が、前記第１のテープ本体において前記フィルム上に貼り付けられるときに、前記フィルムの下の前記第１のテープ本体上の前記フィラメントの両側にまたがるように配置された幅を有する、第２のテープ本体とを含み、
前記フィラメントが、引っ張られたときに、両側縁部から間隔をあけた前記第２のテープ本体における位置で前記第２のテープ本体の長さに沿って前記第２のテープ本体を引き裂くように、前記フィラメント及び前記第２のテープ本体が配置されている、テープシステム。
【請求項２】
接着剤により物体に貼り付けられたときにフィルムを切断するための方法であって、
第１のテープ本体を前記物体に貼り付けることであって、
前記第１のテープ本体が、前面と、後面と、第１の長手方向側縁部と、第２の長手方向側縁部とを有する伸縮性材料を含み、
前記第１のテープ本体が、前記物体に取り付けるための接着剤を前記後面に有し、
前記第１のテープ本体の前記前面が接着剤を含まず、前記接着剤に対して剥離特性を有し、
前記第１のテープ本体に、長手方向に延びるフィラメントが付いている、ことと、
第２のテープ本体を前記第１のテープ本体において前記フィルム上に貼り付けて、前記フィルムの下の前記第１のテープ本体の前記フィラメントの両側にまたがるようにすることであって、
前記第２のテープ本体が、前面と、後面と、第２の長手方向側縁部と、第２の長手方向側縁部とを有する伸縮性材料を含み、
前記第２のテープ本体が、前記フィルムに取り付けるための接着剤を前記後面に有する、ことと、
前記フィラメントを引っ張ることにより、両側縁部から間隔をあけた前記第２のテープ本体上の位置で、前記第２のテープ本体の長さに沿って前記フィルム及び前記第２のテープ本体を引き裂くことと、を含む方法。
【請求項３】
接着剤により物体に貼り付けられたときにフィルムを切断するための方法であって、
テープ本体を前記物体に貼り付けることであって、
前記テープ本体が、前面と、後面と、第１の長手方向側縁部と、第２の長手方向側縁部とを有する伸縮性材料を含み、
前記テープ本体が前記物体に取り付けられるための接着剤を前記後面に有し、
前記テープ本体の前記前面が接着剤を含まず、前記接着剤に対して剥離特性を有する、ことと、
前記フィルムを引き裂くように前記フィラメントを引っ張ることと、
前記フィルムに力を加えて、前記フィラメントによる切断中に前記フィラメントが引っ張られるとき前記フィルムが前記物体から離れようとする傾向を軽減するように作用させることと、を含む方法。